(57)【要約】【課題】  装置仕様に対応していない光ディスクが装着された場合にも正確に識別する光ディスク装置を提供する。【解決手段】  システム制御部２は、ローディング操作を検出し、タイマ２０を初期化すると（Ｓ１→Ｓ２）、ディスク検出制御信号を出力するともにカウントを開始する（Ｓ３→Ｓ４）。そして、ディスク未装着検出信号が入力されると、エラー情報を取得する（Ｓ５→Ｓ６）。次に、システム制御部２は、エラー情報内に「ＮＯ  ＤＩＳＫ」エラーを検出するとタイマ２０からカウント値を検出し（Ｓ７→Ｓ８）、このカウント値が所定閾値以上であれば、装置仕様に対応していない光ディスクが装着されていることを示す「ＤＩＳＫ  ＥＲＲＯＲ」表示制御を表示部３に行う（Ｓ９→Ｓ２０）。【選択図】  図２
2005317079.tif 000002
【特許請求の範囲】
【請求項１】
光ディスクの装着の有無、および光ディスクの種類を検出するディスク検出手段を備え、検出された光ディスクに対して記録・再生を行うデータ記録・再生手段と、光ディスクに記録されている情報を表示する表示手段と、該表示手段および前記データ記録・再生手段を含む装置全体を制御するシステム制御手段とを備えた光ディスク装置において、
前記システム制御手段は、前記ディスク検出手段にディスク検出を指示した時点からディスク未装着検出信号が入力される迄の時間を計測して、予め設定された閾値未満であればディスクが装着されていないと判定し、前記閾値以上であれば装置仕様に対応していないディスクであると判定し、ディスクが装置仕様に対応していないことを示す表示を前記表示手段に行わせるとともに、前記データ記録・再生手段に装着されている光ディスクのアンローディング処理を行わせることを特徴とする光ディスク装置。
【請求項２】
光ディスクの装着の有無、および光ディスクの種類を検出するディスク検出手段を備え、検出されたた光ディスクに対して記録・再生を行うデータ記録・再生手段と、該データ記録・再生手段を含む装置全体を制御するシステム制御手段とを備えた光ディスク装置において、
前記システム制御手段は、前記ディスク検出手段にディスク検出を指示した時点からディスク未装着検出信号が入力される迄の時間を計測して、予め設定された閾値未満であればディスクが装着されていないと判定し、前記閾値以上であれば装置仕様に対応していないディスクであると判定する、ことを特徴とする光ディスク装置。
【請求項３】
光ディスクに記録されている情報を表示する表示手段を備え、
前記システム制御手段は、前記装置仕様に対応していないディスクであると判定した場合に、ディスクが装置仕様に対応していないことを示す表示を前記表示手段に行わせる請求項２に記載の光ディスク装置。
【請求項４】
前記システム制御手段は、前記装置仕様に対応していないディスクであると判定した場合に、前記データ記録・再生手段に装着されている光ディスクのアンローディング処理を行わせる請求項２または請求項３に記載の光ディスク装置。
【発明の詳細な説明】
【技術分野】
【０００１】
この発明は、光ディスクの記録・再生を行う光ディスク装置、特に、光ディスクの装着状態を検出する手段を備える光ディスク装置に関するものである。
【背景技術】
【０００２】
従来、光ディスク装置では、光ディスク装置内に光ディスクが装着されているかどうかを検出する機能が備えられている。
【０００３】
このような光ディスクの装着状態を検出する方法としては、光ピックアップ出力するフォーカスエラー信号（ＦＥ信号）を用いる方法がある。この方法では、光ピックアップを光ディスクの記録面に垂直な方向へ移動させながらフォーカスエラー信号を検出し、フォーカスエラー信号の振幅変化を観測する。そして、フォーカスエラー信号の振幅が所定閾値以上であれば光ディスクが装着されていると判断し、前記閾値未満であれば光ディスクが未装着であると判断する（例えば、特許文献１参照。）。
【特許文献１】特開２０００−３５５２公報
【発明の開示】
【発明が解決しようとする課題】
【０００４】
従来の光ディスク装置では、前述の光ディスクの装着／未装着を検出するとともに、光ディスクが装着されていると判断した状態で、装着されている光ディスクが装置仕様に対応しているかどうかの検出を行っている。そして、従来の光ディスク装置は、例えば、光ディスクが装着されていなければ、「ＮＯ  ＤＩＳＫ」と判断し、装着されていてもディスク種類を検出することができなければ、「ＤＩＳＫ  ＥＲＲＯＲ」と判断していた。
【０００５】
ところが、従来の光ディスク装置では、装置仕様に対応しない光ディスクが装着されている場合に、例えば、前述のフォーカスエラー信号の振幅が閾値と略同じであるが小さい場合等の理由により、光ディスクが装着されていることを検出できず、「ＮＯ  ＤＩＳＫ」と判断することがあった。
【０００６】
この発明の目的は、装置仕様に対応していない光ディスクが装着された場合にも正確に識別する光ディスク装置を提供することにある。
【課題を解決するための手段】
【０００７】
この発明は、光ディスクの装着の有無、および光ディスクの種類を検出するディスク検出手段を備え、検出されたた光ディスクに対して記録・再生を行うデータ記録・再生手段と、該データ記録・再生手段を含む装置全体を制御するシステム制御手段とを備えた光ディスク装置において、システム制御手段が、ディスク検出手段にディスク検出を指示した時点からディスク未装着検出信号が入力される迄の時間を計測して、予め設定された閾値未満であればディスクが装着されていないと判定し、閾値以上であれば装置仕様に対応していないディスクであると判定する、ことを特徴としている。
【０００８】
この構成では、装置のディスク装着部が操作（ローディング操作）されると、システム制御手段はディスク検出手段に光ディスクの装着状態を検出させるためのディスク検出制御信号を出力する。これと同時に、システム制御手段はタイマを初期化して計時を開始する。そして、システム制御手段は、ディスク検出手段からディスク未装着検出信号が入力されると、タイマの計測時間を取得する。ここで、ディスク装着部に装置仕様に対応していない光ディスクが装着されていると、ディスク検出制御信号の出力タイミングからディスク未装着検出信号の入力タイミングまでの時間が長くなる。これを利用し、システム制御手段は、予め設定された閾値と計測時間とを比較し、計測時間が長ければ装置仕様に対応していない光ディスクが装着されたと判断する。一方、システム制御手段は、前記閾値よりも計測時間が短ければ光ディスクが装着されていないと判断する。すなわち、光ディスク装置は、ディスク未装着状態と判断するまでの時間を計測することで、ディスク未装着状態と装置仕様に対応しない光ディスクが装着されている状態とを識別する。これにより、装置仕様に対応していない光ディスクが装着されたことが検出される。
【０００９】
また、この発明は、光ディスクに記録されている情報を表示する表示手段を備え、システム制御手段が、装置仕様に対応していないディスクであると判定した場合に、ディスクが装置仕様に対応していないことを示す表示を表示手段に行わせることを特徴としている。
【００１０】
この構成では、前述のように、装置に装着されている光ディスクが装置仕様に対応しない場合に、システム制御手段は、装置仕様に対応していない光ディスクが装着されていること示す制御信号を表示手段に出力する。表示手段は、この信号に基づき、液晶パネル等の画面に非対応光ディスクの装着を示す表示を行う。これにより、装置仕様に対応していない光ディスクが装着されていることがユーザに通知される。
【００１１】
また、この発明は、装置仕様に対応していないディスクであると判定した場合に、データ記録・再生手段に装着されている光ディスクのアンローディング処理を行わせることを特徴としている。
【００１２】
この構成では、前述のように、装置に装着されている光ディスクが装置仕様に対応しない場合に、システム制御手段は、光ディスクをアンローディングさせる制御信号をデータ記録・再生手段に出力する。データ記録・再生手段は、この信号に基づき、ディスク装着部をアンローディング操作して、装着されていた光ディスクを排出する。これにより、装置仕様に対応していない光ディスクが装着されていることがユーザに通知される。
【発明の効果】
【００１３】
この発明によれば、ディスク未装着状態を判断するまでの時間を計測して、予め設定された閾値と比較することで、ディスク未装着状態と装置仕様に対応しない光ディスクが装着されている状態とを識別することができ、装置仕様と異なる光ディスクが装着された場合にも正確に識別する光ディスク装置を構成することができる。
【００１４】
また、この発明によれば、装置仕様に対応していない光ディスクが装着されていることを表示することで、装置仕様に対応していない光ディスクが装着されていることをユーザへ確実に通知することができる。
【００１５】
また、この発明によれば、装置仕様に対応していない光ディスクを自動的にアンローディングすることで、装置仕様に対応していない光ディスクが装着されていることをユーザへさらに確実に通知することができる。
【発明を実施するための最良の形態】
【００１６】
本発明の実施形態に係る光ディスク装置について図を参照して説明する。
【００１７】
図１は、本発明の実施形態に係る光ディスク装置のディスク状態検出に関する部分の概略構成を示すブロック図である。
【００１８】
図１に示すように、光ディスク装置は、データ記録再生部１、システム制御部２、表示部３、操作部４を備えている。データ記録再生部１は、光ピックアップ１１、ＲＦアンプ１２、ディスク検出回路１３、サーボ回路１４、ドライバ回路１５、ターンテーブル１６、スピンドルモータ１７、トラバース機構１８、ステッピングモータ１９を備え、この他に、図示していない、データ再生回路とデータ記録回路とを備えている。
【００１９】
光ピックアップ１１は、図示しないレーザダイオード、コリメータレンズ、ビームスプリッタ、対物レンズ、フォトディテクタを備えており、光ディスク１００に対してレーザダイオードからレーザ光を再生用強度で照射し、光ディスク１００からの反射光をフォトディテクタで電気信号に変換することによって、光ディスク１００に記録されている情報を光学的に読み出す。フォトディテクタは、例えば、受光領域がほぼ均等に４分割されており、４つの受光領域からの電気信号をＲＦアンプ１２に出力する。また、光ピックアップ１１は、後述するデータ記録回路から入力される光ピックアップ制御信号に基づいて駆動し、光ディスク１００に対してレーザダイオードからレーザ光を記録用強度で照射する。
【００２０】
また、光ピックアップ１１は、光ディスク１００に照射するレーザ光の焦点をその光軸方向に移動させるフォーカシングアクチュエータ（図示せず）と、前記レーザ光を光ディスク１００の半径方向に移動させるトラッキングアクチュエータ（図示せず）とを備えている。そして、フォーカシング制御およびトラッキング制御を行うことで、レーザ光を所望の記録トラックに追随させるとともにこの記録トラックにレーザ光の焦点を合わせる。
【００２１】
ＲＦアンプ１２は、光ピックアップ１１が読み出した信号を増幅して、図示していないデータ再生回路に出力するとともに、フォーカシングエラー信号とトラッキングエラー信号とを生成してサーボ回路１４に出力する。また、ＲＦアンプ１２はフォーカシングエラー信号をディスク検出回路１３に出力する。
【００２２】
ディスク検出回路１３は、入力されたフォーカシングエラー信号に基づき、従来技術に示したような既知の方法で光ディスクの装着状態を検出して、ディスク装着検出信号またはディスク未装着検出信号をシステム制御部２に出力する。
【００２３】
データ再生回路は、ＲＦアンプ１２から出力される信号に復調処理（デコード）、誤り検出及び訂正処理などを施すことにより情報を所定形式のディジタルデータに再生する。また、データ再生回路は、ＲＦアンプ１２から出力される信号から光ディスク１００の回転数を示す信号を生成してサーボ回路１４へ出力する。
【００２４】
サーボ回路１４は、ＲＦアンプ１２が出力したフォーカシングエラー信号、トラッキングエラー信号に基づいて、フォーカシングエラー信号の値を０（基準レベル）にするためのフォーカシング駆動信号、トラッキングエラー信号の値を０（基準レベル）にするためのトラッキング駆動信号及びトラバース駆動信号を生成してドライバ回路１５に出力する。また、サーボ回路１４は、データ再生回路が出力する光ディスク１００の回転数を示す信号に基づいて、光ディスク１００の回転数を目標値にするためのスピンドルモータ駆動信号を生成しドライバ回路１５に出力する。また、サーボ回路１４は、制御部２から入力されるシーク制御信号に基づいて、光ピックアップ１００を所定位置に移動させるためのトラバース駆動信号を生成してドライバ回路１５に出力する。
【００２５】
ドライバ回路１５は、フォーカシング駆動信号に基づいて光ピックアップ１内のフォーカシングアクチュエータを駆動し、トラッキング駆動信号に基づいてトラッキングアクチュエータを駆動する。また、ドライバ回路１５は、トラバース駆動信号に基づいて光ピックアップ１１を光ディスク１００の半径方向に移動させるトラバース機構１８に備えられたステッピングモータ１９を駆動し、スピンドルモータ駆動信号に基づいて光ディスク１００を載置するターンテーブル１６を所定回転数で回転させるスピンドルモータ１７を駆動する。
【００２６】
データ記録回路は、入力された映像データをバッファリングしながら記録用データに変換（エンコード）して、この記録用データに応じた光ピックアップ制御信号を生成して光ピックアップ１１に出力する。
【００２７】
システム制御部２は、例えばマイクロコンピュータで構成されており、光ディスク装置に対してユーザが入力した命令に応じて光ディスク装置の各構成要素を制御する。また、システム制御部２は、操作部４からの再生操作命令に従い光ピックアップ１１にデータ読出制御信号を出力し、操作部４からの記録操作命令に従いデータ記録回路にデータ記録制御信号を出力する。この際、システム制御部２は、光ディスク１００の記録トラックの所定アドレス位置に光ピックアップ１１からのレーザ光が照射するように、光ピックアップ１１を駆動させる制御信号をサーボ回路１３に出力する。
【００２８】
また、システム制御部２はタイマ２０を備え、ディスク検出回路１３にディスク検出制御信号を出力するタイミングからディスク検出回路１３からディスク未装着検出信号を入力するタイミングの間の時間を計時する。そして、システム制御部２は、この計時結果に応じて、後述する方法でディスクの装着状態を検出する。
【００２９】
表示部３は、液晶パネル等の表示器と表示用ドライバ回路とを備えており、システム制御部２から入力される、光ディスクの装着状態や光ディスク装置の動作状態を示す情報、再生中の光ディスクのデータに関する情報などを表示する。
【００３０】
操作部４は、ユーザが光ディスク装置に対して各種の命令を入力するためのものであり、光ディスク装置に対してユーザが入力した命令はシステム制御部２に出力される。
【００３１】
このような光ディスク装置では、次に示す方法により、光ディスクの装着状態を検出する。
【００３２】
図２は、ディスク状態検出時のシステム制御部２の処理を示すフローチャートである。
【００３３】
ユーザが操作部４を用いてローディング操作を行うと、システム制御部２はこれを検出して、自身に備えられたタイマ２０を初期値、すなわちカウント「０」に設定する（Ｓ１→Ｓ２）。そして、システム制御部２は、データ記録再生部１のディスク検出回路１３にディスク検出制御信号を出力するとともに、カウントを開始する（Ｓ３→Ｓ４）。
【００３４】
次に、ディスク検出回路１３からディスク検出制御信号に対する検出結果を表す信号が入力されると、システム制御部２は、検出結果を表す信号がディスク装着検出信号であるか、ディスク未装着検出信号であるかを判別し、ディスク未装着検出信号でればエラー情報を取得する（Ｓ５→Ｓ６）。ここで、エラー情報には、ディスクが装着されていないことを示す「ＮＯ  ＤＩＳＫ」エラーや、ディスク情報を判別することができない「ＤＩＳＫ  ＥＲＲＯＲ」エラーや、サーボエラー等が存在する。
【００３５】
システム制御部２はエラー情報の内容を解析し、「ＮＯ  ＤＩＳＫ」エラーであれば、タイマ２０からカウント値を検出する（Ｓ７→Ｓ８）。そして、装置仕様に対応しない光ディスクが装着されている場合には、「ＮＯ  ＤＩＳＫ」エラーの判定までに時間が掛かることを利用して設定された閾値（例えば、３秒程度）を用いて、システム制御部２は、カウント値がこの閾値未満であれば、表示部３に「ＮＯ  ＤＩＳＫ」と表示させる制御を行い（Ｓ９→Ｓ１０）、前記閾値以上であれば、表示部３に「ＤＩＳＫ  ＥＲＲＯＲ」と表示させる制御を行う（Ｓ９→Ｓ２０）。
【００３６】
また、システム制御部２は、ディスク検出されれば、タイマ２０のカウントを終了して、取得したディスク情報からディスク種類の判別を行い、ディスク状態を表示する制御を表示部３に行う（Ｓ５→Ｓ１１→Ｓ１２→Ｓ１３）。
【００３７】
以上のような構成とすることで、装置仕様に対応していない光ディスクが装着された場合に、光ディスクが装着されていないことを示す「ＮＯ  ＤＩＳＫ」と判断せず、何らかの光ディスクが装着されているが情報を読み取ることができないことを示す「ＤＩＳＫ
ＥＲＲＯＲ」と判断する。これにより、本実施形態に係る光ディスク装置は、装置仕様に対応していない光ディスクが装着された場合でも、これを正確に検出することができる。
そして、この検出結果を表示部で表示することで、装置仕様に対応していない光ディスクが装着されたことをユーザに通知することができる。なお、この際、システム制御部２がデータ記録再生部１に対してアンローディング操作を行う制御をして、データ記録再生部１が光ディスクをアンローディングする、すなわち、排出するようにしてもよい。これにより、装置仕様に対応していない光ディスクが装着されても、自動的に排出されるので、ユーザはこの動作により装置仕様に対応していない光ディスクを光ディスク装置に装着してしまったことを認識することができる。
【図面の簡単な説明】
【００３８】
【図１】本発明の実施形態に係る光ディスク装置のディスク状態検出に関する部分の概略構成を示すブロック図
【図２】本発明の実施形態に係る光ディスク装置のシステム制御部２のディスク状態検出に関する処理を示すフローチャート
【符号の説明】
【００３９】
１００−光ディスク
１−データ記録・再生部
１１−光ピックアップ
１２−ＲＦアンプ
１３−ディスク検出部
１４−サーボ回路
１５−ドライバ回路
１６−ターンテーブル
１７−スピンドルモータ
１８−トラバース機構
１９−ステッピングモータ
２−システム制御部
２０−タイマ
３−表示部
４−操作部
【図１】
2005317079.tif 000003
【図２】
2005317079.tif 000004